(57)【要約】【課題】プリペイド機能付きガスメータからの検針情報を集中監視センタに送ると共に、プリペイド機能関連情報として前払いしたガス使用料金の残料金またはガス使用可能量の残量を従来よりも有効に確認することができる自動検針ユニットを提供すること。【解決手段】プリペイド機能付きガスメータ１からの検針情報を集中監視センタに送る自動検針ユニット５であって、検針情報とプリペイド機能関連情報とを切り替え表示する表示手段４５を備え、表示手段４５には、プリペイド機能関連情報の表示時、プリペイドされて設定されたガス使用料金またはガス使用可能量をフルスケールとし、フルスケール時に最大高さでゼロスケール方向に一定の割合で高さが減少するバーグラフ表示により、ガス使用に伴って減少するプリペイド残料金またはプリペイドガス使用可能量の残量を示すインジケータが表示される。【選択図】図４
2006064430.tif 000002
【特許請求の範囲】
【請求項１】
プリペイド機能付きガスメータからの検針情報を集中監視センタに送る自動検針ユニットであって、
前記検針情報とプリペイド機能関連情報とを切り替え表示する表示手段を備え、
前記表示手段には、前記プリペイド機能関連情報の表示時、プリペイドされて設定されたガス使用料金またはガス使用可能量をフルスケールとし、フルスケール時に最大高さでゼロスケール方向に一定の割合で高さが減少するバーグラフ表示により、ガス使用に伴って減少するプリペイド残料金またはプリペイドガス使用可能量の残量を示すインジケータが表示される
ことを特徴とする自動検針ユニット。
【請求項２】
請求項１記載の自動検針ユニットにおいて、
前記表示手段には、前記プリペイド機能関連情報の表示時、前記インジケータに加えてガスメータを表すシンボルマークが表示され、
前記プリペイド残料金またはプリペイドガス使用可能量の残量がしきい値以下に減少すると、前記インジケータのバーグラフが点滅表示されると共に、前記シンボルマークの近傍にガス使用禁止を表す記号が点滅表示される
ことを特徴とする自動検針ユニット。
【請求項３】
請求項１または２記載の自動検針ユニットにおいて、
前記表示手段には、前記プリペイド機能関連情報の表示時、さらに、プリペイドされて設定されたガス使用料金またはガス使用可能量からガス使用に伴って減少するプリペイド残料金またはプリペイドガス使用可能量の残量がデジタル表示される
ことを特徴とする自動検針ユニット。
【請求項４】
請求項３記載の自動検針ユニットにおいて、
前記表示手段には、前記プリペイド機能関連情報の表示時、前記プリペイド残料金のデジタル表示とプリペイドガス使用可能量の残量のデジタル表示が、所定の時間間隔で切り替えられる
ことを特徴とする自動検針ユニット。
【発明の詳細な説明】
【技術分野】
【０００１】
本発明は、自動検針ユニットに関し、特に、プリペイド機能付きガスメータからの検針情報を集中監視センタに送ると共に、プリペイド機能関連情報として前払いしたガス使用料金の残料金またはガス使用可能量の残量を確認することができる自動検針ユニットに関する。
【背景技術】
【０００２】
ガス供給に対する課金手法の一つとして、プリペイド式ガス供給システムが提案されている。これは、ガス消費者から所定のガス使用料金が前払いされたときに、その金額またはその金額に対応するガス使用可能量をガスメータに設定し、前払いされた金額またはガス使用可能量までガスを消費したときに遮断弁を閉じガスの供給を止めるという手法である。この手法は、ガス消費者にとって明瞭な課金手法であるが、ガス使用可能量を超えると、突然ガス供給が停止しまい、ガス消費者に不測の事態が発生する可能性がある。
【０００３】
これに対し、前払いされたガス使用料金の残額を表示したり（特許文献１）、残りのガス使用可能時間を表示したり（特許文献２）することにより、ガス消費者に注意を喚起する手法が開示されている。
【特許文献１】特開平１１−１３２８２７号公報
【特許文献２】特開平１１−５３６３６号公報
【発明の開示】
【発明が解決しようとする課題】
【０００４】
しかしながら、上述の従来例ではいずれも、プリペイド後のガス使用に伴い、ガス使用料金の残額やガス使用可能量の残量を確認することはできるが、その減り具合、すなわち、元の前払いしたガス使用料金の金額またはその金額に相当するガス使用可能量に対する残額または残量の割合が分からないため、あとどのくらいプリペイドによるガス使用が可能かを感覚的に知ることができない。したがって、次のプリペイドの時期の予想が立たない等の不安感をガス消費者に与えるおそれがあった。
【０００５】
そこで本発明は、上述した従来の問題点に鑑み、プリペイド機能付きガスメータからの検針情報を集中監視センタに送ると共に、プリペイド機能関連情報として前払いしたガス使用料金の残料金またはガス使用可能量の残量を従来よりも有効に確認することができる自動検針ユニットを提供することを目的としている。
【課題を解決するための手段】
【０００６】
請求項１記載の発明は、プリペイド機能付きガスメータからの検針情報を集中監視センタに送る自動検針ユニットであって、前記検針情報とプリペイド機能関連情報とを切り替え表示する表示手段を備え、前記表示手段には、前記プリペイド機能関連情報の表示時、プリペイドされて設定されたガス使用料金またはガス使用可能量をフルスケールとし、フルスケール時に最大高さでゼロスケール方向に一定の割合で高さが減少するバーグラフ表示により、ガス使用に伴って減少するプリペイド残料金またはプリペイドガス使用可能量の残量を示すインジケータが表示されることを特徴とする。
【０００７】
請求項２記載の発明は、請求項１記載の自動検針ユニットにおいて、前記表示手段には、前記プリペイド機能関連情報の表示時、前記インジケータに加えてガスメータを表すシンボルマークが表示され、前記プリペイド残料金またはプリペイドガス使用可能量の残量がしきい値以下に減少すると、前記インジケータのバーグラフが点滅表示されると共に、前記シンボルマークの近傍にガス使用禁止を表す記号が点滅表示されることを特徴とする。
【０００８】
請求項３記載の発明は、請求項１または２記載の自動検針ユニットにおいて、前記表示手段には、前記プリペイド機能関連情報の表示時、さらに、プリペイドされて設定されたガス使用料金またはガス使用可能量からガス使用に伴って減少するプリペイド残料金またはプリペイドガス使用可能量の残量がデジタル表示されることを特徴とする。
【０００９】
請求項４記載の発明は、請求項３記載の自動検針ユニットにおいて、前記表示手段には、前記プリペイド機能関連情報の表示時、前記プリペイド残料金のデジタル表示とプリペイドガス使用可能量の残量のデジタル表示が、所定の時間間隔で切り替えられることを特徴とする。
【発明の効果】
【００１０】
請求項１記載の発明によれば、プリペイドされて設定されたガス使用料金またはガス使用可能量をフルスケールとし、フルスケール時に最大高さでゼロスケール方向に一定の割合で高さが減少するバーグラフ表示により、ガス使用に伴って減少するプリペイド残料金またはプリペイドガス使用可能量の残量を示すインジケータが表示されるので、プリペイド残額または残量の減り具合を確認することができ、その結果、ガス消費者の不安感を一掃することができると共に、ガス消費者の利便性を格段に向上させることができる。
【００１１】
請求項２記載の発明によれば、インジケータに加えてガスメータを表すシンボルマークが表示され、プリペイド残料金またはプリペイドガス使用可能量の残量がしきい値以下に減少すると、インジケータのバーグラフが点滅表示されると共に、シンボルマークの近傍にガス使用禁止を表す記号が点滅表示されるので、ガス消費者に、もうすぐプリペイドによるガス使用ができなくなることの注意を喚起することができる。
【００１２】
請求項３記載の発明によれば、さらに、プリペイドされて設定されたガス使用料金またはガス使用可能量からガス使用に伴って減少するプリペイド残料金またはプリペイドガス使用可能量の残量がデジタル表示されるので、デジタル的な金額値または流量値でプリペイド残額または残量を確認することができ、ガス消費者の利便性をさらに向上させることができる。
【００１３】
請求項４記載の発明によれば、プリペイド残料金のデジタル表示とプリペイドガス使用可能量の残量のデジタル表示が、所定の時間間隔で切り替えられるので、金額値および流量値の両方でプリペイド残額および残量を確認することができ、ガス消費者の利便性をさらに向上させることができる。
【発明を実施するための最良の形態】
【００１４】
以下、本発明の実施の形態について図面を参照して説明する。図１は、本発明に係る自動検針ユニットを含む自動検針システムを示すブロック図、図２は、図１の自動検針システムにおける無線子機の構成例を示すブロック図、図３は、本発明の自動検針ユニットにおける無線親機の構成例を示すブロック図、図４は、本発明の自動検針ユニットにおけるコントローラの構成例を示すブロック図である。
【００１５】
自動検針システムは、ガスメータ１と、ガスメータ１に接続された無線子機２と、無線子機２と特定小電力無線通信方式で通信する後述の無線親機３、および無線親機３に接続されたコントローラ４を含む自動検針ユニット５と、自動検針ユニット５と一般電話回線６を介して接続された集中監視センター７とを含む。
【００１６】
ガスメータ１は、プリペイド機能付きのガスメータである。プリペイド機能は、ガス消費者がガス販売事業者にガス使用料金を前もって支払っている場合、前払いされた金額に応じたガス使用可能量を、設定器（図示しない）または集中監視センター７から設定し、設定されたガス使用可能量をガスメータ１内のメモリに記憶させる機能である。また、このプリペイド機能に基づき、ガスメータ１は、ガス使用に伴い、ガス使用可能量からガス使用量を減じたガス使用可能残量を算出してメモリに記憶すると共に、このガス使用可能残量がなくなったときに遮断弁を閉じてガスの供給を停止させる。
【００１７】
無線子機２と無線親機３の間では、空きチャンネルの１つが通信チャンネルとして予め確保されており、検針データを収集する時などには、既に確保されているチャンネルを使用して通信を行う。自動検針ユニット５は、通信によってガスメータ１から得られた検針データを一般電話回線６を介して集中監視センター７に送信する。
【００１８】
無線子機２は、図２に示すように、ガスメータ１と検針データや指令の授受を行う電文回路２１と、入力された指令に基づき、電文回路２１に設定データなどを供給する処理と、電文回路２１で収集された検針データを取り込む処理と、空きチャンネルの検出処理などを行うＣＰＵ（マイクロコンピュータ）２２と、ＣＰＵ２２で使用される各種の定数データ、動作を規定するプログラム等が格納されている、ＥＥＰＲＯＭ等からなる不揮発性のメモリ２３と、ＣＰＵ２２から送信データが出力されたとき、これをＭＳＫ変調方式で変調して送信信号を生成する処理と、受信信号が供給されたとき、これをＭＳＫ変調方式で復調して受信データを生成する処理などを行うＭＳＫモデム回路２４とを備えている。
【００１９】
さらに、無線子機２は、ＣＰＵ２２からキャリアセンス指示が出されたとき、チャンネルを順次切り換えて空きチャンネルを見つけ出す処理と、ＭＳＫモデム回路２４から送信信号が出力されたとき、この送信信号に基づき、所定の周波数帯、たとえば４００ＭＨｚ帯の特定小電力高周波信号を生成する処理と、４００ＭＨｚ帯の特定小電力高周波信号が入力されたとき、この特定小電力高周波信号に基づき、受信信号を生成し、これをＭＳＫモデム回路に供給する処理などを行う特定小電力送受信回路２５と、特定小電力送受信回路２５に接続されたアンテナ２６と、無線親機３との通信チャンネルを予め確保するための縁組スイッチ２７とを備えている。
【００２０】
そして、無線子機２は、無線親機３と通信を行う際に使用する通信チャンネルを予め確保し、この通信チャンネルを介して、無線親機３から設定データなどが送信されてきたとき、この設定データを取り込んで、ガスメータ１などの設定を行い、また、通信チャンネルを介して、無線親機３からデータ収集指令などが送信されてきたとき、ガスメータ１から検針データ等のデータを取り込むと共に、通信チャンネルを使用して検針データなどを無線親機３に送信する。
【００２１】
また、自動検針ユニット５に含まれている無線親機３は、図３に示すように、コントローラ４のＣＰＵ４２とデータや指令の授受を行う電文回路３１と、電文回路３１で取り込まれた指令に基づき、検針データの収集処理、ガスメータ１の設定処理、空きチャンネルの検出処理などを行うＣＰＵ３２と、ＣＰＵ３２で使用される各種の定数データ、動作を規定するプログラム等が格納されている、ＥＥＰＲＯＭ等からなる不揮発性のメモリ３３と、ＣＰＵ３２から送信データが出力されたとき、これをＭＳＫ変調方式で変調して送信信号を生成する処理と、受信信号が供給されたとき、これをＭＳＫ変調方式で復調して受信データを生成する処理などを行うＭＳＫモデム回路３４とを備えている。
【００２２】
さらに、無線親機３は、ＣＰＵ３２からキャリアセンス指示が出されたとき、チャンネルを順次切り換えて空きチャンネルを見つけ出す処理と、ＭＳＫモデム回路３４から送信信号が出力されたとき、この送信信号に基づき、所定の周波数帯、たとえば４００ＭＨｚ帯の特定小電力高周波信号を生成する処理と、４００ＭＨｚ帯の特定小電力高周波信号が入力されたとき、この特定小電力高周波信号に基づき、受信信号を生成し、これをＭＳＫモデム回路に供給する処理などを行う特定小電力送受信回路３５と、特定小電力送受信回路３５に接続されたアンテナ３６と、無線子機２との通信チャンネルを予め確保するための縁組スイッチ３７とを備えている。
【００２３】
そして、無線親機３は、無線子機２と通信を行う際に使用する通信チャンネルを予め確保し、コントローラ４のＣＰＵ４２から送信対象となるデータが供給されたとき、これを取り込むと共に、この通信チャンネルを使用してデータを無線子機２側に送信し、また、この通信チャンネルが使用されて、無線子機２側から検針データ等のデータが送信されてきたとき、これを受信して受信データを生成し、これをコントローラ４のＣＰＵ４２に供給する。
【００２４】
上述の無線子機２と無線親機３の通信チャンネルは、自動検針ユニットの設置時に、無線子機２の縁組スイッチ２７と無線親機３の縁組スイッチ３７とを同時に操作することにより、予め確保されている。
【００２５】
次に、自動検針ユニット５に含まれているコントローラ４は、図４に示すように、集中監視センター７とデータや指令の授受を行う通信部４１と、通信部４１で取り込まれた指令に基づき、無線親機３との間で通信して検針データの収集処理、ガスメータ１の設定処理、表示データの生成処理などを行うＣＰＵ４２と、ＣＰＵ４２で使用される各種の定数データ、動作を規定するプログラム等が格納されている、ＥＥＰＲＯＭ等からなる不揮発性のメモリ４３と、コントローラ４の設定信号および動作指示信号等を入力する入力部４４と、ＣＰＵ４２で生成された表示データを取り込んでこれを表示する表示器４５と、各部に電源電圧を供給する電池４６とを備えている。
【００２６】
入力部４４は、開スイッチ４４ａ、選択スイッチ４４ｂ、解除スイッチ４４ｃおよびクッキングタイマスイッチ４４ｄを含む。開スイッチ４４ａは、ガスメータ１側へ、ガスメータ１に備えられている遮断弁を弁開するように指示する弁開指示信号を送るためのスイッチである。選択スイッチ４４ｂは、各種料金の表示／設定切替用のスイッチである。解除スイッチ４４ｃは、ブザーを停止させたり、各状態から時計表示へ戻したりするためのスイッチである。クッキングタイマスイッチ４４ｄは、他の表示からクッキングタイマ表示に切り替えると共に、クッキングタイマをスタートさせるためのスイッチである。
【００２７】
表示器４５は、バックライト付きのＬＣＤ（液晶ディスプレイ）からなる。バックライトは、スイッチ操作することにより点灯し、所定時間（たとえば、１５秒）以上スイッチ操作がない場合は、自動的に消灯する。表示器４５は、ガスメータ１の異常内容の表示、ガス使用料金（量）の表示、プリペイド機能の表示および時計表示を切り替えて行うことができる。
【００２８】
ガスメータ１の異常内容の表示は、ガスメータ１における遮断（流量遮断、外部機器入力遮断、その他の遮断）を識別表示すると共に、復帰、警告等も表示する。また、プリペイド管理表示として、プリペイド機能によるガス使用可能残量ゼロによる遮断も表示する。
【００２９】
ガス使用料金（量）の表示は、入力部４４に備えられている料金表示有／無スイッチ（図示しない）が「料金表示有」に設定されている場合、無線子機２に設定されている検針日時データを読み取り、毎日その検針時刻にガスメータ１から自動的に現在検針値、現在個別積算値情報等を取得し、取得した検針データから前月締め（定日時検針日／一斉検針日等）データの差分をメモリ４３に予め記憶している料金テーブルを用いて演算して表示する。なお、入力部４４に備えられている「円」／「ｍ3 」切替スイッチ（図示しない）により、ガス使用料金としての「円」またはガス使用量としての「ｍ3 」の両方を一定時間間隔で交互に表示する「円／ｍ3 」モードと、ガス使用量としての「ｍ3 」のみを表示する「ｍ3 」モードの２つのモードを切り替えることができる。（ディフォルトは「円／ｍ3 」モードとする。）
【００３０】
表示される各種データは、自動検針ユニット５が、次にガスメータ１から検針値、個別積算値情報等を取得するまでメモリ４３に保持されており、いつでも選択スイッチ４４ｂの操作の度に切り替えて表示可能になっている。また、ＣＰＵ４２は、現在カウンタと前月カウンタを内蔵し、検針月日時（月１回）にて検針値移行を行う。
【００３１】
次に、プリペイド機能の表示は、ガス消費者がガス販売事業者にガス使用料金を前もって支払っている場合、プリペイド金額からガス使用に伴い減額された残りの金額の表示が可能になっている。すなわち、選択スイッチ４４ｂでプリペイド残量表示に切り替える操作が行われると、ＣＰＵ４２は、ガスメータ１より毎日１回の定時刻検針時に他の検針値、個別積算値情報と同時に取得されるプリペイドガス使用可能量の残量データを、メモリ４３に記憶してある料金テーブルを用いて演算し、残りの金額（円）／残量（ｍ3 ）を表示する。
【００３２】
次に、時計表示機能では、選択スイッチ４４ｂが所定時間（たとえば、１５秒）以上操作されていない場合、表示器４５は、それまで表示していたものから現在時刻の表示に切り替えられる。
【００３３】
図５〜図１４は、表示器４５の表示画面の例を示す。
【００３４】
図５は、通常状態の表示画面を示す。図５では、画面左上にガスメータ１を表すシンボルマークが表示されると共に、画面中央に現在時刻を表す時計表示が、７セグメントによるデジタル表示で示されている。また、画面右上に、プリペイドされて設定されたガス使用料金またはガス使用可能量をフルスケールとし、フルスケール時に最大高さでゼロスケール方向に一定の割合で高さが減少するバーグラフ表示により、ガス使用に伴って減少するプリペイド残料金またはプリペイドガス使用可能量の残量を示すインジケータが表示される。このインジケータは、常時表示され、後述する料金表示や警報表示の場合にのみ消灯する。各表示モードの移行時、所定時間（たとえば、１５秒）以上選択スイッチ４４ｂの操作がなければ、この時計表示に移行する。
【００３５】
図６は、目安今月料金の表示画面を示す。図６の表示画面は、図５に示す通常状態から、選択スイッチ４４ｂを操作することにより切り替え表示される。この場合、今月のガス使用料金（円）を示す画面（Ａ）と、今月のガス使用量（ｍ3 ）を示す画面（Ｂ）とが所定時間間隔（たとえば、３秒間隔）で交互に切り替え表示される。
【００３６】
図７は、プリペイド残料金の表示画面を示す。図７の表示画面は、図６に示す目安今月料金の表示状態から、選択スイッチ４４ｂを操作することにより切り替え表示される。この場合、プリペイド残料金（円）を示す画面（Ａ）と、プリペイドガス使用可能量の残量（ｍ3 ）を示す画面（Ｂ）とが所定時間間隔（たとえば、３秒間隔）で交互に切り替え表示される。また、画面上部に「プリペイド」の文字が点灯表示される。また、画面右上に、プリペイドされて設定されたガス使用料金またはガス使用可能量をフルスケールとし、フルスケール時に最大高さでゼロスケール方向に一定の割合で高さが減少するバーグラフ表示により、ガス使用に伴って減少するプリペイド残料金またはプリペイドガス使用可能量の残量を示すインジケータが表示される。
【００３７】
このインジケータのフルスケール値は、集中監視センター７から、電文で設定される「プリペイフルスケール値（Ｐｆｕｌｌ）」データとして自動検針ユニット５へ送られ、メモリ４３に記憶されて、設定される。プリペイフルスケール値（Ｐｆｕｌｌ）は、たとえば、整数２桁で０１〜９９ｍ3 の範囲とし、ディフォルト値は０４ｍ3 とする。ＣＰＵ４２は、設定された「プリペイフルスケール値」で、ガスメータ１より毎日１回の定時刻検針時に他の検針値、個別積算値情報と同時に取得されるプリペイドガス使用可能量の残量カウンタ値（Ｐ）を除算する演算を行い、得られた演算結果に基づいて、インジケータのバー表示を行う。
【００３８】
すなわち、ＩＮＤ＝Ｐ／Ｐｆｕｌｌの演算を行い、ＩＮＤ＝０の場合：０本、０＜ＩＮＤ≦０．２５の場合：１本、０．２５＜ＩＮＤ≦０．５０の場合：２本、０．５０＜ＩＮＤ≦０．７５の場合：３本、０．７５＜ＩＮＤの場合：４本、の本数のバー表示を行う。
【００３９】
図７では、たとえばプリペイドされた金額が１万円で、対応するガス使用可能量がおよそ２３ｍ3 の場合を示し、インジケータはフルスケールになっている。
【００４０】
次に、図８は、ガス使用に伴うプリペイド残料金の変化を表す表示画面を示す。図７と同様な画面（Ａ）および（Ｂ）において、たとえばプリペイド残料金がおよそ５，０１６円で、対応するガス使用可能量がおよそ８ｍ3 の場合を示し、インジケータは、最大高さ側のバーが消えた状態になっている。このインジケータを確認することにより、プリペイドされたガス使用料金またはガス使用可能量に対する残料金または残量の減り具合が分かる。
【００４１】
次に、プリペイドガス使用可能量の残量が、ガスメータ１において予め設定されたしきい値以下に減少すると、ガスメータ１から自動検針ユニット５へ「プリペイ警告通報」が発呼される。自動検針ユニット５のＣＰＵ４２は、受け取った「プリペイ警告通報」に基づき、表示器４５の表示画面に、図７と同様な図９の画面（Ａ）および（Ｂ）に示すように、画面左上のシンボルマークの近傍に（たとえば、図９ではシンボルマークの中に）ガス使用禁止を表す記号、たとば「止」の字を点滅表示させると共に、画面右上のインジケータのバーグラフを点滅表示させ、さらに、画面左下にイクスクラメーションマーク「！」を点灯表示させることにより、ガス消費者の注意を促す。
【００４２】
そして、残料金または残量がゼロになると、図７と同様な図１０の画面（Ａ）および（Ｂ）に示すように、画面中央のプリペイド残料金（円）またはプリペイドガス使用可能量の残量（ｍ3 ）が０（ゼロ）と表示されると共に、画面左上のシンボルマーク中の「止」の字が点滅表示から点灯表示に切り替わり、画面右上のインジケータが点滅表示から点灯表示に切り替わると共にバーが全て消え、さらに、「止」の字が点滅表示から点灯表示に切り替わり、イクスクラメーションマーク「！」が消灯して、ガス消費者の注意を促す。
【００４３】
次に、図１１は、ガス漏れ警報表示を示す。図１１の表示画面は、ガスメータ１側でガス漏れ警報が発生した場合に表示される。この場合、画面上部に「警報」の文字、画面左下にイクスクラメーションマーク「！」が点灯表示される。
【００４４】
また、図１２は、ガス漏れ警報遮断表示を示す。図１２の表示画面は、ガスメータ１側でガス漏れ警報による遮断が発生した場合に表示されるものであり、図１１の画面から切り替え表示される。この場合、画面左上のシンボルマーク中に「止」の字が点灯表示され、イクスクラメーションマーク「！」が消灯して、ガス消費者の注意を促す。
【００４５】
次に、図１３は、弁開表示を示す。図１３の表示画面は、開スイッチ４４ａを操作した場合に、切り替え表示される。この場合、画面左上のガスメータ略図中に「止」の字が点滅表示され、かつシンボルマークの右側に遮断事象を表す文字（図示していない）が点滅表示される。また、画面中央に秒単位で、弁開されるまでの時間がカウントダウン表示される。
【００４６】
次に図１４は、クッキングタイマ表示を示す。図１４の表示画面は、クッキングタイマスイッチ４４ｄを操作した場合に、切り替え表示される。この場合、下部にクッキングタイマのシンボルマークが示され、このシンボルマークは、タイマ時間の設定中は点滅表示され、タイマ動作中は点灯表示される。また、画面中央に秒単位で、タイマ時間がカウントダウン表示される。
【００４７】
以上の通り、本発明の実施の形態について説明したが、本発明はこれに限らず、種々の変形、応用が可能である。
【００４８】
たとえば、上述の実施の形態では、プリペイド設定機能は、設定器または集中監視センターから設定される構成としているが、これに限らず、前払いする金額またはその金額に応じたガス使用可能量を記憶したプリペイドカードとカード読取装置とによって、プリペイドガス使用料金またはガス使用可能量を設定するように構成しても良い。
【図面の簡単な説明】
【００４９】
【図１】本発明に係る自動検針ユニットを含む自動検針システムを示すブロック図である。
【図２】図１の自動検針システムにおける無線子機の構成例を示すブロック図である。
【図３】本発明の自動検針ユニットにおける無線親機の構成例を示すブロック図である。
【図４】本発明の自動検針ユニットにおけるコントローラの構成例を示すブロック図である。
【図５】本発明の自動検針ユニットにおける表示器の表示画面例であり、通常状態の表示画面を示す図である。
【図６】本発明の自動検針ユニットにおける表示器の表示画面例であり、目安今月料金の表示画面を示す図である。
【図７】本発明の自動検針ユニットにおける表示器の表示画面例であり、プリペイド残料金の表示画面を示す図である。
【図８】本発明の自動検針ユニットにおける表示器の表示画面例であり、プリペイド残料金の表示画面を示す図である。
【図９】本発明の自動検針ユニットにおける表示器の表示画面例であり、プリペイド残料金の表示画面を示す図である。
【図１０】本発明の自動検針ユニットにおける表示器の表示画面例であり、プリペイド残料金の表示画面を示す図である。
【図１１】本発明の自動検針ユニットにおける表示器の表示画面例であり、ガス漏れ警報表示を示す図である。
【図１２】本発明の自動検針ユニットにおける表示器の表示画面例であり、ガス漏れ警報遮断表示を示す図である。
【図１３】本発明の自動検針ユニットにおける表示器の表示画面例であり、弁開表示を示す図である。
【図１４】本発明の自動検針ユニットにおける表示器の表示画面例であり、クッキングタイマ表示を示す図である。
【符号の説明】
【００５０】
１  ガスメータ
２  無線子機
３  無線親機
４  コントローラ
５  自動検針ユニット
６  一般電話回線
７  集中監視センター
４５  表示器（表示手段）
【図１】
2006064430.tif 000003
【図２】
2006064430.tif 000004
【図３】
2006064430.tif 000005
【図４】
2006064430.tif 000006
【図５】
2006064430.tif 000007
【図６】
2006064430.tif 000008
【図７】
2006064430.tif 000009
【図８】
2006064430.tif 000010
【図９】
2006064430.tif 000011
【図１０】
2006064430.tif 000012
【図１１】
2006064430.tif 000013
【図１２】
2006064430.tif 000014
【図１３】
2006064430.tif 000015
【図１４】
2006064430.tif 000016